(57)【要約】【課題】ユーザの操作性の向上を図ったソフトウェアキーボードを提供する。【解決手段】表示器２の画面上の押下位置に応じた入力を受け付ける入力部２１と、キーボードにかかるキー画像１１１を、背景画像１２１重畳して表示器２の画面に表示する表示制御部２３と、入力部２１で入力モードの選択にかかる入力を受け付けると、当該入力に応じて入力部２１における入力モードを、キー画像１１１に基づく文字入力を受け付ける第１入力モード、または背景画像１２１の表示形態の変更にかかる入力を受け付ける第２入力モードに設定する入力モード設定部２２と、を備えている。【選択図】図４
2020034991.tif 000002
【特許請求の範囲】
【請求項１】
表示器の画面上の押下位置に応じた入力を受け付ける入力部と、
キーボードにかかるキー画像を、背景画像に重畳して前記表示器の画面に表示する表示制御部と、
前記入力部で入力モードの選択にかかる入力を受け付けると、当該入力に応じて前記入力部における入力モードを、前記キー画像に基づく文字入力を受け付ける第１入力モード、または前記背景画像の表示形態の変更にかかる入力を受け付ける第２入力モードに設定する入力モード設定部と、を備えた入力デバイス。
【請求項２】
前記第１入力モードは、前記背景画像の表示形態の変更にかかる入力を受け付けないモードであり、
前記第２入力モードは、前記キー画像に基づく文字入力を受け付けないモードである、請求項１に記載の入力デバイス。
【請求項３】
前記第２入力モードは、前記背景画像の表示形態の変更にかかる入力として、当該背景画像の拡大、または縮小にかかる入力を受け付ける、請求項１、または２に記載の入力デバイス。
【請求項４】
前記第２入力モードは、前記背景画像が動画像である場合、前記背景画像の表示形態の変更にかかる入力として、再生速度の変更、または再生の一時停止、再生の再開にかかる入力を受け付ける、請求項１〜３のいずれかに記載の入力デバイス。
【請求項５】
前記背景画像は、外部機器によって配信されている動画コンテンツのストリーミング再生にかかる画像である、請求項４に記載の入力デバイス。
【請求項６】
前記背景画像は、テロップにかかる画像である、請求項１〜５のいずれかに記載の入力デバイス。
【請求項７】
前記表示制御部は、前記入力モード設定部によって、前記入力部が第２入力モードに設定されているとき、前記キー画像が表示器の画面上で視認できない形態で表示する、請求項１〜６のいずれかに記載の入力デバイス。
【請求項８】
請求項１〜７のいずれかに記載の入力デバイスを備えた、携帯端末。
【請求項９】
表示器の画面上の押下位置に応じた入力を受け付ける入力ステップと、
キーボードにかかるキー画像を、背景画像に重畳して前記表示器の画面に表示する表示制御ステップと、
前記入力ステップで入力モードの選択にかかる入力を受け付けると、当該入力に応じて前記入力ステップにおける入力モードを、前記キー画像に基づく文字入力を受け付ける第１入力モード、または前記背景画像の表示形態の変更にかかる入力を受け付ける第２入力モードに設定する入力モード設定ステップと、をコンピュータが実行する入力デバイス制御方法。
【請求項１０】
表示器の画面上の押下位置に応じた入力を受け付ける入力ステップと、
キーボードにかかるキー画像を、背景画像に重畳して前記表示器の画面に表示する表示制御ステップと、
前記入力ステップで入力モードの選択にかかる入力を受け付けると、当該入力に応じて前記入力ステップにおける入力モードを、前記キー画像に基づく文字入力を受け付ける第１入力モード、または前記背景画像の表示形態の変更にかかる入力を受け付ける第２入力モードに設定する入力モード設定ステップと、をコンピュータに実行させる入力デバイス制御プログラム。
【発明の詳細な説明】
【技術分野】
【０００１】
この発明は、ソフトウェアキーボードにかかる技術に関する。
【背景技術】
【０００２】
従来、スマートフォンや、タブレット型端末等の携帯型端末には、文字入力を行う構成としてソフトウェアキーボードを備えている。ソフトウェアキーボードは、公知のように、タッチパネル方式の入力デバイスを用い、ＧＵＩ（Graphical User Interface）でユーザの文字入力操作を受け付ける。具体的には、ソフトウェアキーボードは、キー画像を表示器の画面上に表示し、入力デバイスによって検出されたユーザによる画面上の押下位置に応じて、ユーザが入力した文字を判断して出力する処理をソフトウェアで実現したものである。
【０００３】
また、ソフトウェアキーボードには、表示器の画面上に表示されるキー画像の背景を、ユーザが自分の趣味嗜好に応じて選択した画像（背景画像）にするものがある（例えば、特許文献１等参照）。また、特許文献１には、背景画像として広告を用いることが開示されている。
【先行技術文献】
【特許文献】
【０００４】
【特許文献１】特許第５８４８７７０号公報
【発明の概要】
【発明が解決しようとする課題】
【０００５】
しかしながら、特許文献１等で提案されているソフトウェアキーボードは、その時点において設定されている静止画、または動画を背景にしたキー画像を表示器の画面上に表示しているだけであり、このキー画像が表示されている状態で、背景画像の表示形態を変更することができなかった。すなわち、ユーザは、一連の文字入力操作を行っているときに、背景画像が気になっても、その背景画像の表示形態を変更することができなかった。
【０００６】
この発明の目的は、キー画像が表示されている状態であっても、背景画像の表示形態の変更が簡単に行え、ユーザの操作性の向上を図ったソフトウェアキーボードにかかる技術を提供することにある。
【課題を解決するための手段】
【０００７】
この発明の入力デバイスは、上記目的を達成するため以下に示すように構成している。
【０００８】
入力部は、表示器の画面上の押下位置に応じた入力を受け付ける。例えば、表示器の画面には、押下位置を検出するタッチパネルが貼付されており、入力部には、タッチパネルにより検出された画面上の押下位置を示す信号が入力される。
【０００９】
表示制御部は、キーボードにかかるキー画像を、背景画像に重畳して表示器の画面に表示する。背景画像は、静止画であってもよいし、動画であってもよい。例えば、表示制御部は、キー画像を背景画像に重畳した合成画像を生成し、合成画像を表示器の画面に表示する構成であってもよい。また、表示制御部は、キー画像を形成した第１レイヤを、背景画像を形成した第２レイヤの上に重ね合わせて表示器の画面に表示する構成であってもよい。この場合、第１レイヤは、透明レイヤである。
【００１０】
なお、表示制御部は、ユーザがキー画像、および背景画像を視認できる形態で表示器の画面に表示することが行えるだけでなく、必要に応じて、キー画像、または背景画像の一方を表示器の画面に表示することも行える。
【００１１】
入力モード設定部は、入力部で入力モードの選択にかかる入力を受け付けると、当該入力に応じて入力部における入力モードを、キー画像に基づく文字入力を受け付ける第１入力モード、または背景画像の表示形態の変更にかかる入力を受け付ける第２入力モードに設定する。
【００１２】
この構成によれば、ユーザは、キー画像が表示されている状態で、第１入力モードを選択することにより、文字入力にかかる入力操作が行え、また第２入力モードを選択することにより、背景画像の表示形態の変更にかかる入力操作が行える。したがって、背景画像の表示形態の変更が簡単に行え、ユーザの操作性の向上を図ることができる。
【００１３】
なお、第１入力モードでは、かな、漢字、英数字、記号等の言語にかかる文字に限らず、絵文字の入力も受け付ける。絵文字とは、１文字サイズのイラストである。また、背景画像が静止画像である場合、例えば、その静止画像（背景画像）を拡大したり、縮小したり、回転したりすることが、背景画像の表示形態の変更である。また、背景画像が動画像である場合、例えば、その動画像（背景画像）を拡大したり、縮小したり、回転したりすることだけでなく、再生を一時停止したり、再生を再開したり、再生速度を変更したりすることが、背景画像の表示形態の変更である。
【００１４】
また、第１入力モードでは、背景画像の表示形態の変更にかかる入力を受け付けない構成とし、第２入力モードでは、キー画像に基づく文字入力を受け付けない構成にするのが好ましい。このように構成すれば、ユーザが第１入力モードを選択して行っている文字入力にかかる入力操作が、背景画像の表示形態を変更する操作として検知されて、ユーザが意図していない背景画像の表示形態の変更が行われることがない。また、ユーザが第２入力モードを選択して行っている背景画像の表示形態の変更にかかる入力操作が、文字入力にかかる操作として検知されて、ユーザが意図していない文字の入力が行われることもない。
【００１５】
ただし、入力部は、その時点で選択されているモードが第１モードであれば、第２モードを選択する入力操作については受け付け、反対に、その時点で選択されているモードが第２モードであれば、第１モードを選択する入力操作については受け付ける。
【００１６】
また、背景画像が、インタネットに接続されたサーバ機器等の外部機器によって配信されている動画コンテンツである場合、背景画像の再生は、ダウンロード再生であってもよいし、ストリーミング再生であってもよい。ストリーミング再生であれば、背景画像にかかる動画コンテンツを記憶するための記憶媒体の記憶容量が抑えられる。
【００１７】
さらに、表示制御部は、入力モード設定部によって、入力部が第２入力モードに設定されているとき、キー画像を表示器の画面上で視認できない形態で表示させてもよい。このように表示すれば、ユーザは、背景画像をキー画像に影響されることなく視認できる。
【発明の効果】
【００１８】
この発明によれば、キー画像が表示されている状態であっても、背景画像の表示形態の変更が簡単に行え、ユーザの操作性の向上を図ることができる。
【図面の簡単な説明】
【００１９】
【図１】携帯端末の外観を示す概略図である。
【図２】ソフトウェアキーボード表示領域に表示されるソフトウェアキーボードにかかる画像の例を説明する図であり、図２（Ａ）はキー画像を示し、図２（Ｂ）は背景画像を示す。
【図３】図３（Ａ）は、文字入力モード時におけるソフトウェアキーボード表示領域の表示画面例を示す図であり、図３（Ｂ）は、表示形態変更モード時におけるソフトウェアキーボード表示領域の表示画面例を示す図である。
【図４】携帯端末の主要部の構成を示すブロック図である。
【図５】携帯端末の文字入力処理を示すフローチャートである。
【図６】携帯端末の文字入力処理を示すフローチャートである。
【図７】携帯端末の文字入力処理を示すフローチャートである。
【図８】図８（Ａ）、（Ｂ）は、別の例にかかる、ソフトウェアキーボードが表示された表示器の画面を示す図である。
【発明を実施するための形態】
【００２０】
以下、この発明の実施形態について説明する。
【００２１】
＜１．適用例＞
図１は、この発明にかかる入力デバイスを適用した携帯端末の外観を示す概略図である。この発明にかかる入力デバイスは、ユーザが文字入力操作を行うソフトウェアキーボードである。ソフトウェアキーボードとは、タッチパネル方式の入力デバイスを用い、ＧＵＩ（Graphical User Interface）でユーザの文字入力操作を受け付ける構成をソフトウェアで実現したものである。
【００２２】
図１では、文字入力モードである時に、携帯端末１の表示器２に表示される画面例を示している。表示器２の画面にはタッチパネル６が貼付されている。携帯端末１は、表示器２の画面上の押下位置を、タッチパネル６の出力を処理して検出する。携帯端末１は、図１に示すように、文字入力モードである時に、表示器２の画面を入力文字表示領域１００と、ソフトウェアキーボード表示領域１１０とに分割する。入力文字表示領域１００には、その時点において入力されている文字列が表示される。ソフトウェアキーボード表示領域１１０には、ソフトウェアキーボードにかかる画像が表示される。
【００２３】
図２は、ソフトウェアキーボード表示領域に表示されるソフトウェアキーボードにかかる画像を説明する図である。図２（Ａ）は、キー画像であり、図２（Ｂ）は、背景画像である。キー画像１１１は、文字キー画像１１２と、メニューキー画像１１３とを有している。文字キー画像１１２は、文字入力にかかるキー群の画像である。メニューキー画像１１３は、ソフトウェアキーボードの各種機能の選択等にかかるキー群の画像である。文字キー画像１１２に属するキー群には、文字入力に使用する文字キー、および入力した文字列を変換する変化キー、入力した文字列を確定する確定キー等が含まれる。メニューキー画像１１３に属するキー群には、文字を入力する文字入力モードと、背景画像１２１の表示形態を変更する表示形態変更モードとを切り替えるトグルキー１１３ａが含まれている。文字入力モードが、この発明で言う第１入力モードに相当し、表示形態変更モードが、この発明で言う第２入力モードに相当する。
【００２４】
なお、図２に示すように、メニューキー画像１１３に属するキー群には、トグルキー１１３ａ以外のキーも含まれている。トグルキー１１３ａ以外のキーについては、ここでは説明を省略する。
【００２５】
背景画像１２１は、静止画であってもよいし、動画であってもよい。携帯端末１は、背景画像１２１を文字キー画像１１２の背景にして、表示器２の画面に表示させることができる。携帯端末１は、文字キー画像１１２を背景画像１２１の上に重畳した合成画像を生成し、この合成画像を表示器２の画面に表示させる構成であってもよいし、文字キー画像１１２を形成した第１レイヤを、背景画像１２１を形成した第２レイヤの上に重ね合わせて表示器２の画面に表示する構成であってもよい。この場合、第１レイヤは、透明レイヤである。
【００２６】
図３（Ａ）は、文字入力モード時におけるソフトウェアキーボード表示領域の表示画面例を示す図であり、図３（Ｂ）は、表示形態変更モード時におけるソフトウェアキーボード表示領域の表示画面例を示す図である。この例の携帯端末１は、文字入力モードが選択されているとき、図３（Ａ）に示すように、文字キー画像１１２を背景画像１２１の上に重畳した画像をソフトウェアキーボード表示領域１１０に表示させる。また、携帯端末１は、表示形態変更モードが選択されているとき、図３（Ｂ）に示すように、背景画像１２１をソフトウェアキーボード表示領域１１０に表示させる。また、携帯端末１は、表示形態変更モードが選択されているとき、拡大キー１２２、縮小キー１２３、および回転キー１２４を表示器２の画面に表示する。拡大キー１２２は、表示器２の画面上に表示されている背景画像１２１を拡大させる入力を行うためのキーである。縮小キー１２３は、表示器２の画面上に表示されている背景画像１２１を縮小させる入力を行うためのキーである。回転キー１２４は、表示器２の画面上に表示されている背景画像１２１を回転させる入力を行うためのキーである。拡大キー１２２、縮小キー１２３、および回転キー１２４は、背景画像１２１が静止画、または動画のいずれであっても表示される。
【００２７】
また、携帯端末１は、表示形態変更モードが選択されているとき、背景画像１２１が動画である場合、再生キー１２５、および一時停止キー１２６の画像を表示する。再生キー１２５は、表示器２の画面上に表示されている背景画像１２１（動画）の再生開始、再生速度の変更にかかる入力を行うためのキーである。一時停止キー１２６は、背景画像１２１の再生の停止にかかる入力を行うためのキーである。
【００２８】
携帯端末１は、選択されているモードが文字入力モード、または表示形態変更モードのいずれであっても、メニューキー画像１１３を表示する。また、携帯端末１は、選択されているモードが文字入力モード、または表示形態変更モードのいずれであっても、入力文字表示領域１００に、その時点において入力されている文字列を表示する。
【００２９】
携帯端末１は、文字入力モードが選択されているとき、表示器２の画面上でトグルキー１１３ａの表示位置が押下されたことを検出すると、表示形態変更モードに切り替える。また、携帯端末１は、表示形態変更モードが選択されているとき、表示器２の画面上でトグルキー１１３ａの表示位置が押下されたことを検出すると、文字入力モードに切り替える。すなわち、ユーザは、表示器２の画面上におけるトグルキー１１３ａの表示位置を押下することによって、文字入力モードから表示形態変更モードへの切り替え、および表示形態変更モードから文字入力モードへの切り替えを行える。
【００３０】
したがって、ユーザは、文字入力モードを選択し、文字列を入力しているときに、背景画像１２１が気になったときには、トグルキー１１３ａの表示位置を押下することによって、表示形態変更モードに切り替えることができる。また、ユーザは、表示形態変更モードで、背景画像１２１の表示形態の変更にかかる操作が完了すると、再度、トグルキー１１３ａの表示位置を押下することによって、文字入力モードに戻って、文字列の入力を再開することができる。このように、背景画像１２１の表示形態の変更が簡単に行えるので、ユーザの操作性の向上を図ることができる。
【００３１】
＜２．構成例＞
図４は、この例にかかる携帯端末の主要部の構成を示すブロック図である。この例にかかる携帯端末１は、制御ユニット１１と、記憶部１２と、押下位置検出部１３と、端末位置検出部１４と、通信部１５と、表示器２と、タッチパネル６とを備えている。
【００３２】
制御ユニット１１は、ソフトウェアキーボード２０にかかる構成として、入力部２１と、入力モード設定部２２と、表示制御部２３と、文字出力部２４とを備えている。制御ユニット１１は、携帯端末１本体各部の動作を制御する。制御ユニット１１が備えるソフトウェアキーボード２０にかかる構成（入力部２１、入力モード設定部２２、表示制御部２３、および文字出力部２４）の詳細については後述する
記憶部１２は、この発明にかかる入力デバイス制御プログラムを記憶する。また、記憶部１２は、各種のアプリケーションプログラム、写真、動画等の各種のコンテンツ等を記憶する。この記憶部１２は、メモリ、ＳＤメモリカード（Secure Digital Memory Card）、ハードディスクドライブ、ソリッドステートドライブ等の記憶媒体で構成される。
【００３３】
押下位置検出部１３は、タッチパネル６の出力を処理し、表示器２の画面が押下されたことを検出するとともに、画面上の押下位置を検出する。上述したように、タッチパネル６は、表示器２の画面に貼付されている。タッチパネル６は、表面弾性波方式、静電容量方式等、公知のいずれの方式のものであってもよい。押下位置検出部１３は、検出した表示器２の画面上における押下位置を制御ユニット１１に出力する。
【００３４】
端末位置検出部１４は、ＧＰＳ（Global Positioning System）を利用して、携帯端末１本体の位置（緯度、経度）を測位する。
【００３５】
通信部１５は、インタネット等のネットワークを介したデータ通信、公衆回線網を介した音声通信（電話通信）等を行う。
【００３６】
次に、制御ユニット１１が備えるソフトウェアキーボード２０にかかる構成の入力部２１、入力モード設定部２２、表示制御部２３、文字出力部２４について説明する。この例では、ソフトウェアキーボード２０が、この発明にかかる入力デバイスに相当する。
【００３７】
入力部２１には、押下位置検出部１３が検出した表示器２の画面上の押下位置が入力される。入力部２１は、入力された表示器２の画面上の押下位置、およびその時点において表示器２の画面に表示されている画像を基に、携帯端末１本体に対する入力を判断する。
【００３８】
入力モード設定部２２は、携帯端末１本体の入力モードを、上述した文字入力モード、または表示形態変更モードに設定する。
【００３９】
表示制御部２３は、表示器２の画面に表示する画像を生成するとともに、生成した画像を表示器２の画面に表示する制御を行う。
【００４０】
文字出力部２４は、入力された文字列をアプリケーションプログラムに出力する。このアプリケーションプログラムは、文字入力フィールドを有するブラウザ、電子メール、メモ等のアプリケーションプログラムである。電子メールは、アドレス欄、タイトル欄、電子メール本文欄等が文字入力フィールドである。また、ブラウザは、検索ボックスが文字入力フィールドであり、メモは本文記入欄が文字入力フィールドである。文字出力部２４は、その時点において選択されているアプリケーションプログラムの文字入力フィールドに対して、入力された文字列を出力する。
【００４１】
携帯端末１の制御ユニット１１は、ハードウェアＣＰＵ、メモリ、その他の電子回路によって構成されている。ハードウェアＣＰＵが、この発明にかかる入力デバイス制御プログラムを実行したときに、ソフトウェアキーボード２０として動作する。また、メモリは、この発明にかかる入力デバイス制御プログラムを展開する領域や、この入力デバイス制御プログラムの実行時に生じたデータ等を一時記憶する領域を有している。制御ユニット１１は、ハードウェアＣＰＵ、メモリ等を一体化したＬＳＩであってもよい。また、ハードウェアＣＰＵが、この発明にかかる入力デバイス制御方法を実行するコンピュータである。
【００４２】
＜３．動作例＞
以下、この例にかかる携帯端末１の文字入力処理について説明する。図５、図６、および図７は、この例にかかる携帯端末の文字入力処理を示すフローチャートである。図５は、文字入力処理の開始時における処理を示し、図６は、文字入力モード時における処理を示し、図７は、表示形態変更モード時における処理を示す。
【００４３】
携帯端末１は、アプリケーションプログラムの文字入力フィールドが選択されると、ソフトウェアキーボード２０を起動する。
【００４４】
ソフトウェアキーボード２０は、図５に示すように、背景画像１２１を決定する（ｓ１）。ｓ１では、予めユーザが設定している画像を背景画像１２１に決定してもよいし、ブラウザを使用したインタネットの利用履歴から判断したユーザの趣味趣向に基づいて背景画像１２１を決定してもよいし、携帯端末１本体の現在位置（すなわち、ユーザの現在位置）周辺の地図を背景画像１２１に決定してもよいし、これら以外の方法で背景画像１２１を決定してもよい。ｓ１で決定する背景画像１２１は、記憶部１２に記憶している画像であってもよいし、インタネットに接続されているサーバに保存されている画像であってもよい。また、背景画像１２１は静止画であってもよいし、動画であってもよい。携帯端末１本体の現在位置は、端末位置検出部１４にて検出できる。
【００４５】
ソフトウェアキーボード２０は、ｓ１で背景画像１２１を決定すると、入力モード設定部２２が入力モードを文字入力モードに設定する（ｓ２）。ソフトウェアキーボード２０は、図６に示す文字入力モードにかかる処理を実行する。
【００４６】
表示制御部２３は、キー画像を、ｓ１で決定した背景画像１２１に重畳した合成画像（以下、背景付キーボード画像と言う。）を生成し、これを表示器２の画面に表示する（ｓ１１）。例えば、表示制御部２３は、キー画像を形成した第１レイヤを、背景画像１２１を形成した第２レイヤの上に重ね合わせた背景付キーボード画像を、表示器２のソフトウェアキーボード表示領域１１０に表示させる。この場合、第１レイヤは、透明レイヤであり、ユーザが第２レイヤに形成されている背景画像１２１を視認できる。背景付キーボード画像は、例えば、図３（Ａ）に示す画像である。
【００４７】
入力部２１は、携帯端末１におけるユーザの入力操作を待つ（ｓ１２）。ユーザは、表示器２の画面を押下することにより、携帯端末１本体に対する入力操作を行う。押下位置検出部１３が、タッチパネル６の出力に基づき、ユーザが押下した表示器２の画面上の位置を検出し、検出結果を入力部２１に入力する。入力部２１は、押下位置検出部１３から表示器２の画面上の押下位置が入力されると、ｓ１２でユーザの入力操作があったと判定する。
【００４８】
入力部２１は、今回のユーザの入力操作の種別を判定する。入力部２１が、今回のユーザの入力操作が入力モードの切り替えにかかる入力であると判定すると、入力モード設定部２２が、入力モードを表示形態変更モードに設定し（ｓ１３、ｓ１４）、後述する図７に示す表示形態変更モードにかかる処理を実行する。入力部２１は、押下位置が表示器２におけるトグルキー１１３ａの表示位置であれば、入力モードの切り替えにかかる入力であると判定する。
【００４９】
また、入力部２１が、文字入力の終了にかかる入力操作であると判定すると、ソフトウェアキーボード２０は、今回の文字入力処理を終了する（ｓ１５、ｓ１６）。ｓ１６では、表示制御部２３が、表示器２の画面のソフトウェアキーボード表示領域１１０に表示していた背景付キーボード画像の表示を終了する。
【００５０】
また、入力部２１が、文字入力にかかる入力操作であると判定すると、文字出力部２４が今回入力された文字を出力し（ｓ１７、ｓ１８）、ｓ１２に戻る。また、入力部２１が、上述した入力モードの切り替え、文字入力の終了、または文字入力のいずれでもない入力操作であると判定すると、その入力操作に応じた処理を行って（ｓ１９）、ｓ１２に戻る。
【００５１】
したがって、ユーザは、文字入力にかかる入力操作を繰り返すことによって、文字列の入力が行える。また、文字列の入力が完了すると、文字入力の終了にかかる入力操作を行うことによって、文字列の入力にかかる操作を完了し、今回入力した文字列をその時点で選択しているアプリケーションに入力できる。
【００５２】
また、ユーザは、文字入力にかかる入力操作を行っているときに、背景画像１２１が気になると、入力モードの切り替えにかかる入力操作（トグルキー１１３ａの表示位置を押下する操作）を行う。
【００５３】
次に、図７を参照して、表示形態変更モードにかかる処理を説明する。表示制御部２３は、ｓ１で決定した背景画像１２１を表示器２の画面のソフトウェアキーボード表示領域１１０に表示する（ｓ２１）。この例では、背景画像１２１の視認性を低下させないため、図３（Ｂ）に示すように、ｓ２１でキー画像をソフトウェアキーボード表示領域１１０に表示しない構成にしている。
【００５４】
入力部２１は、携帯端末１におけるユーザの入力操作を待つ（ｓ２２）。ユーザは、上述した文字入力モードと同様に、表示器２の画面を押下することにより、携帯端末１本体に対する入力操作を行う。押下位置検出部１３が、タッチパネル６の出力に基づき、ユーザが押下した表示器２の画面上の位置を検出し、検出結果を入力部２１に入力する。入力部２１は、押下位置検出部１３から表示器２の画面上の押下位置が入力されると、ｓ２２でユーザの入力操作があったと判定する。
【００５５】
入力部２１は、今回のユーザの入力操作の種別を判定する。入力部２１が、今回のユーザの入力操作が入力モードの切り替えにかかる入力であると判定すると、入力モード設定部２２が、入力モードを文字入力モードに設定し（ｓ２３、ｓ２４）、図６に示した文字入力モードにかかる処理を実行する。入力部２１は、押下位置が表示器２におけるトグルキー１１３ａの表示位置であれば、入力モードの切り替えにかかる入力であると判定する。
【００５６】
また、入力部２１が、文字入力の終了にかかる入力操作であると判定すると、ソフトウェアキーボード２０は、今回の文字入力処理を終了する（ｓ２５、ｓ２６）。ｓ２６では、表示制御部２３が、表示器２の画面のソフトウェアキーボード表示領域１１０に表示していた背景画像１２１の表示を終了する。
【００５７】
また、入力部２１は、背景画像１２１の表示形態の変更にかかる入力操作であると判定すると、今回操作に応じて背景画像１２１の表示形態を変更し（ｓ２７、ｓ２８）、ｓ２２に戻る。
【００５８】
表示制御部２３は、今回入力操作が拡大キー１２２の操作である場合、ソフトウェアキーボード表示領域１１０における背景画像１２１の表示倍率を、現時点よりも所定パーセント大きくする。また、表示制御部２３は、今回入力操作が縮小キー１２３の操作である場合、ソフトウェアキーボード表示領域１１０における背景画像１２１の表示倍率を、現時点よりも所定パーセント小さくする。また、表示制御部２３は、今回入力操作が回転キー１２４の操作である場合、ソフトウェアキーボード表示領域１１０における背景画像１２１を、現時点よりも時計回りに所定角度回転させる。
【００５９】
なお、拡大、縮小、回転によって、背景画像１２１がソフトウェアキーボード表示領域１１０から外れる部分については、カットして表示する。また、ソフトウェアキーボード表示領域１１０において、背景画像１２１が表示されない領域が存在する場合には、その領域をあらかじめ定めた背景色（白、赤、黒等）にして表示する。
【００６０】
また、表示制御部２３は、背景画像１２１が動画である場合、今回入力操作が一時停止キー１２６の操作であれば、動画の再生を一時停止する。表示制御部２３は、背景画像１２１が動画である場合、今回入力操作が再生キー１２５の操作であれば、その時点における再生速度が１倍のときは、再生速度を１．３倍に設定し、またその時点における再生速度が１．３倍のときは、再生速度０．８倍に設定し、さらにその時点における再生速度が０．８倍、または一時停止中のときは、再生速度を１倍に設定する。
【００６１】
また、入力部２１が、上述したモードの切り替え、文字入力の終了、または表示形態の変更のいずれでもない入力操作であれば、その入力操作に応じた処理を行って（ｓ２９）、ｓ２２に戻る。
【００６２】
したがって、ユーザは、ソフトウェアキーボード２０で文字入力操作を行っているときに、背景画像１２１が気になったとき、文字入力にかかる操作を一時的に中断し、背景画像１２１を確認することができる。また、このとき、ユーザは、背景画像１２１の表示形態を変更することができるので、ユーザ自身にとって視認性のよい表示形態に変更して、気になった箇所の確認が行える。
【００６３】
また、上記の説明では、特に明記しなかったが、ソフトウェアキーボード２０は、文字入力モードであるとき、拡大キー１２２、縮小キー１２３、回転キー１２４、再生キー１２５、および一時停止キー１２６をソフトウェアキーボード表示領域１１０に表示しないので、背景画像１２１の表示形態の変更にかかる入力操作を受け付けない。すなわち、ユーザによる文字入力にかかる入力操作を、背景画像１２１の表示形態の変更にかかる入力操作として受け付けることがない。したがって、ユーザが文字入力にかかる入力操作を行っているときに、ユーザが意図していない背景画像１２１の表示形態が変更されることはない。
【００６４】
また、ソフトウェアキーボード２０は、表示形態変更モードであるとき、文字キー画像１１２をソフトウェアキーボード表示領域１１０に表示しないので、文字入力にかかる入力操作を受け付けない。すなわち、ユーザによる背景画像１２１の表示形態の変更にかかる入力操作を、文字入力にかかる入力操作として受け付けることがない。したがって、ユーザが背景画像１２１の表示形態の変更にかかる入力操作を行っているときに、ユーザが意図していない文字の入力が行われることはない。
【００６５】
背景画像１２１が、インタネット上のサーバに保存されている動画コンテンツである場合、表示制御部２３は、この動画コンテンツをストリーミング再生するのが好ましい。このようにすれば、背景画像１２１である動画を記憶するための記憶部１２の記憶容量を抑えることができる。
【００６６】
＜４．変形例＞
上記の例では、キー画像を背景画像１２１に重畳した画像をソフトウェアキーボード表示領域１１０に表示するとしたが、図８に示すように、ソフトウェアキーボード表示領域１１０の一部にテロップ表示領域１１０ａを設け、テロップ表示領域１１０ａにテロップを表示させてもよい。図８（Ａ）は、文字入力モード時におけるソフトウェアキーボード表示領域１１０の表示画面であり、図８（Ｂ）は、表示形態変更モード時におけるソフトウェアキーボード表示領域１１０の表示画面である。
【００６７】
図８（Ａ）に示すように、文字入力モード時には、テロップ表示領域１１０ａに再生キー１２５ａ、および一時停止キー１２６ａが表示されない。また、図８（Ｂ）に示すように、表示形態変更モード時には、テロップ表示領域１１０ａに再生キー１２５ａ、および一時停止キー１２６ａが表示される。再生キー１２５ａは、表示されているテロップの表示速度の変更にかかる操作を行うためのキーである。一時停止キー１２６ａは、テロップをその時点における表示で停止させる操作を行うためのキーである。
【００６８】
この例では、表示形態変更モード時においても、キー画像１１１をソフトウェアキーボード表示領域１１０に表示している。ただし、ソフトウェアキーボード２０は、表示形態変更モードであるとき、文字入力にかかる入力操作を受け付けない。
【００６９】
この例でも、ソフトウェアキーボード２０は、図５、図６、および図７に示した処理を実行する。
【００７０】
なお、この変形例では、ソフトウェアキーボード２０は、表示形態変更モードであるとき、文字入力にかかる入力操作をも受け付ける構成にしてもよい。
【００７１】
また、上記の説明では、本願発明にかかる入力デバイス（ソフトウェアキーボード）を、携帯端末１に適用した例を用いて説明したが、デスクトップパソコン等にも適用できる。
【００７２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００７３】
さらに、この発明に係る構成と上述した実施形態に係る構成との対応関係は、以下の付記のように記載できる。  
＜付記＞
表示器（２）の画面上の押下位置に応じた入力を受け付ける入力部（２１）と、
キーボードにかかるキー画像（１１１）を、背景画像（１２１）重畳して前記表示器（２）の画面に表示する表示制御部（２３）と、
前記入力部（２１）で入力モードの選択にかかる入力を受け付けると、当該入力に応じて前記入力部（２１）における入力モードを、前記キー画像（１１１）に基づく文字入力を受け付ける第１入力モード、または前記背景画像（１２１）の表示形態の変更にかかる入力を受け付ける第２入力モードに設定する入力モード設定部（２２）と、を備えた入力デバイス（１１）。
【符号の説明】
【００７４】
１…携帯端末
２…表示器
６…タッチパネル
１１…制御ユニット
１２…記憶部
１３…押下位置検出部
１４…端末位置検出部
１５…通信部
２０…ソフトウェアキーボード
２１…入力部
２２…入力モード設定部
２３…表示制御部
２４…文字出力部
１００…入力文字表示領域
１１０…ソフトウェアキーボード表示領域
１１０ａ…テロップ表示領域
１１１…キー画像
１１２…文字キー画像
１１３…メニューキー画像
１２１…背景画像
【図１】
2020034991.tif 000003
【図２】
2020034991.tif 000004
【図３】
2020034991.tif 000005
【図４】
2020034991.tif 000006
【図５】
2020034991.tif 000007
【図６】
2020034991.tif 000008
【図７】
2020034991.tif 000009
【図８】
2020034991.tif 000010